(57)【要約】【課題】  乾燥の消費電力量を低減する。【解決手段】  乾燥運転中に内部が乾燥室となる外槽２と、前記外槽２内に回転自在に配置され、洗濯物９０を収容する洗濯兼脱水槽３と、該洗濯兼脱水槽３を駆動するモータ４と、前記洗濯兼脱水槽３を支持する筐体１と、前記洗濯兼脱水槽３に送風するための送風路２０、ファン２１及び該ファンを駆動するファン駆動用モータ２１ａを含む乾燥装置と、前記送風路２０に設けられ、前記筐体１内上部に位置する吸気弁２５とを備えた洗濯乾燥機１００Ａにおいて、前記ファン駆動用モータ２１ａから前記吸気口２４へ空気を導くダクト状のダクト状風路２６を設ける。【選択図】  図５
2015228930.tif 000002
【特許請求の範囲】
【請求項１】
乾燥運転中に内部が乾燥室となる外槽と、前記外槽内に回転自在に配置され、洗濯物を収容する洗濯兼脱水槽と、該洗濯兼脱水槽を駆動するモータと、前記洗濯兼脱水槽を支持する筐体と、前記洗濯兼脱水槽に送風するための送風路、ファン及び該ファンを駆動するファン駆動用モータを含む乾燥装置と、前記送風路に設けられ、前記筐体内上部に位置する吸気弁とを備えた洗濯乾燥機において、前記ファン駆動用モータから前記吸気口へ空気を導くダクト状風路を設けたことを特徴とする洗濯乾燥機。
【請求項２】
前記請求項１において、前記ダクト状風路は前記ファン駆動用モータの少なくとも一部を内包することを特徴とする洗濯乾燥機。
【請求項３】
前記請求項１乃至２において、前記外槽から排出される水を前記筺体の外へ排出する排水ホースを設け、乾燥運転中に前記筺体内部空間の空気を前記吸気口から前記送風路に吸い込み、前記回転ドラム又は洗濯兼脱水槽から出た空気の少なくとも一部を、前記排水ホースを経由して排気する洗濯乾燥機。
【請求項４】
乾燥運転中に内部が乾燥室となる外槽と、前記外槽内に回転自在に配置され、洗濯物を収容する洗濯兼脱水槽と、該洗濯兼脱水槽を駆動するモータと、前記洗濯兼脱水槽を支持する筐体と、前記洗濯兼脱水槽に送風するための送風路、ファン及び該ファンを駆動するファン駆動用モータを含む乾燥装置とを備えた洗濯乾燥機において、前記送風路がファン駆動用モータの少なくとも一部を内包することを特徴とする洗濯乾燥機。
【発明の詳細な説明】
【技術分野】
【０００１】
本発明は、洗濯乾燥機に関する。
【背景技術】
【０００２】
乾燥機又は洗濯から乾燥までを連続して行える洗濯乾燥機による洗濯物の乾燥は、送風ファンと熱源により高温かつ低湿度の空気を作り、これを洗濯槽内に吹込み、洗濯物の温度を高くし、洗濯物から水分を蒸発させ、蒸発した水分を機外へ排出することにより行う。
【０００３】
蒸発した水分の除去方法は、そのまま洗濯乾燥機外へ排出する排気方式（常に新しい空気を供給）と蒸発した水分を冷やし結露させて水分を除去する除湿方式（空気を循環）がある。
【０００４】
洗濯物に吹き付けた後の温風空気をそのまま排気する排気方式では、乾燥運転中に筐体内の空気を吸気口から吸込み、洗濯槽から排出される空気の少なくとも一部を、排水ホースを経由して排気する技術がある。
【０００５】
本技術分野の背景技術として特開２０１３−３７１号公報（特許文献１）がある。特許文献１では、ファン駆動用モータが外槽側に、回転羽根が反外槽側に位置するようにファンを配置し、ファン駆動用モータから生じる熱を外部に逃がすことなく吸気口から吸引して乾燥運転に用い、乾燥運転の熱効率が格段に向上する洗濯乾燥機または乾燥機の技術が記載されている。
【先行技術文献】
【特許文献】
【０００６】
【特許文献１】特開２０１３−３７１号公報
【発明の概要】
【発明が解決しようとする課題】
【０００７】
上記特許文献１に記載された構成においては、吸気口から筺体内の空気を吸い込む場合にさまざまな流路が存在する。このうち、空気は流路抵抗の小さい領域から吸気口へ吸い込まれるため、ファン駆動用モータと吸気口の間に空気の流れを限定する経路を持たない上記特許文献１の構成では、吸気口はファン駆動用モータ周囲を流れない空気も吸い込む。この空気はファン駆動用モータから生じた熱を得ておらず、吸気口から吸引されない熱はファン駆動用モータから筺体内に分散することから、乾燥運転の熱効率が向上する効果は小さい。
【０００８】
本発明の目的は、筺体内にあるファン駆動用モータで発生した熱を乾燥用として効率良く利用し、乾燥運転時の消費電力量を低減する洗濯乾燥機を提供することにある。
【課題を解決するための手段】
【０００９】
上記目的を達成するために本発明は、乾燥運転中に内部が乾燥室となる外槽と、該外槽内に回転自在に配置され洗濯物を収容する洗濯兼脱水槽と、該洗濯兼脱水槽を駆動するモータと、前記洗濯兼脱水槽を支持する筐体と、前記洗濯兼脱水槽に送風するための送風路、ファン及び該ファンを駆動するファン駆動用モータを含む乾燥装置と、前記送風路に設けられ、前記筐体内上部に位置する吸気弁とを備えた洗濯乾燥機において、前記ファン駆動用モータから前記吸気口へ空気を導くダクト状風路を設ける。
【発明の効果】
【００１０】
本発明によれば、筺体内にあるファン駆動用モータで発生した熱を乾燥用として効率的に利用し、消費電力量を低減する洗濯乾燥機を提供できる。
【図面の簡単な説明】
【００１１】
【図１】本発明の第１の実施例であるドラム式洗濯乾燥機を示す外観斜視図である。
【図２】本発明の第１の実施例であるドラム式洗濯乾燥機の筐体の一部を切断して内部構造を示す斜視図である。
【図３】本発明の第１の実施例であるドラム式洗濯乾燥機の内部構造を示す側面図である。
【図４】本発明の第１の実施例であるドラム式洗濯乾燥機を前後方向の略中央部で縦に切断して洗濯兼脱水槽底壁面を示す断面図である。
【図５】本発明の第１の実施例であるドラム式洗濯乾燥機の内部構造を示す側面図である。
【図６】本発明の第１の実施例であるドラム式洗濯乾燥機の筐体の一部を切断して内部構造を示す上面図である。
【図７】本発明の第１の実施例であるドラム式洗濯乾燥機の制御系のコントローラにおけるマイクロコンピュータが実行する制御処理の一部を示すフローチャートである。
【図８】本発明の第１の実施例であるドラム式洗濯乾燥機の送風路の構成を示す斜視図と側面図である。
【図９】本発明の第１の実施例であるファン前後の空気の流れを示す吸気口が開状態の模式図である。
【図１０】本発明の第２の実施例であるファン前後の空気の流れを示す吸気口が開状態の模式図である。
【図１１】本発明の第３の実施例であるファン前後の空気の流れを示す模式図である。
【図１２】本発明の第４の実施例であるファン前後の空気の流れを示す模式図である。
【図１３】本発明の第５の実施例である縦型洗濯乾燥機の内部構造を示す概略図である。
【発明を実施するための形態】
【００１２】
以下、本発明の実施の形態例について、図面を用いて説明する。
【実施例１】
【００１３】
図１は本実施例に係るドラム式洗濯乾燥機１００Ａの外観斜視図、図２は筐体の一部を切断して内部構造を示す斜視図、図３は内部の構造を示す側面図、図４は筺体の前後方向の略中央部で縦に切断して洗濯兼脱水槽底壁面を示す断面図、図５は図３の反対方向から見た内部の構造を示す側面図、図６は筐体の一部を切断して内部構造を示す上面図、図７は制御系のコントローラにおけるマイクロコンピュータが実行する制御処理の一部を示すフローチャート、図８は送風路の構成を示す斜視図と側面図、図９はファン前後の空気の流れを示す吸気口が開状態の模式図である。
【００１４】
本実施例のドラム式洗濯乾燥機１００Ａは、洗濯物９０を収容し洗濯及び脱水、乾燥を行う洗濯兼脱水槽３と、この洗濯兼脱水槽３を回転させるモータ４と、洗濯兼脱水槽３を支持する筐体１を備えている。ここで筐体１は、ベース１ｇの上に取り付けられており、左右の側板１ａ、１ｂ、前面カバー１ｃ、背面カバー１ｄ、上面カバー１ｅ、下部前面カバー１ｆで構成されている。左右の側板１ａ、１ｂは、コの字型の上補強材（図示せず）、前補強材１ｊ、後補強材１ｋで結合されており、ベース１ｇを含めて箱状の筐体１を形成し、筐体として十分な強度を有している。
【００１５】
また、洗濯物９０を出し入れするための投入口を塞ぐドア９が前面カバー１ｃの略中央に設けられ、前補強材１ｊに設けたヒンジ（図示せず）で開閉可能に支持されている。ドア開放ボタン９ｄを押すことでロック機構（図示せず）が外れてドア９が開き、ドア９を前面カバー１ｃに押し付けることでドア９は閉じた状態でロックされる。前補強材１ｊは、後述する外槽２の開口部２ｃと同軸に、洗濯物９０を出し入れするための略円形の開口部を有している。
【００１６】
回転自由に支持された円筒状の洗濯兼脱水槽３は、その円筒外周壁３ｅに通水および通風のための多数の貫通孔３ｇを有し、前側端面に洗濯物９０を出し入れするための開口部３ａを有する。開口部３ａの外側には洗濯兼脱水槽３と一体の流体バランサ３ｃが備わる。外周壁３ｅの内側には軸方向に延びるリフタ３ｂが複数個設けられており、洗濯、乾燥時に洗濯兼脱水槽３を低速で回転した場合、洗濯物９０は回転による遠心力により外周壁に押し付けられ、またリフタ３ｂによって回転方向への移動を阻害される。このため、洗濯物９０は外周壁３ｅに沿って持ち上がり、重力で落下する動きを繰り返す。洗濯兼脱水槽３の回転中心軸は、水平または開口部３ａ側が高くなるように傾斜している。
【００１７】
また、洗濯水を溜めるための円筒状の外槽２は、筐体１に支持され、洗濯兼脱水槽３を同軸に内包し、前面は開口し、底壁２ｅの外側中央にモータ４を有する。モータ４の回転軸は外槽２を貫通し、洗濯兼脱水槽３の底壁３ｆの中心と結合している。外槽２前面の開口部には外槽カバー２ｄが設けられ、外槽２内への貯水を可能としている。外槽カバー２ｄの前側中央には、洗濯物９０を出し入れするための開口部２ｃを有している。本開口部２ｃと前補強材１ｊに設けた開口部は、ゴム製のベローズ４０で接続されており、ドア９を閉じることで外槽２を水封する。
【００１８】
モータ４はその回転速度を検出するホール素子あるいはフォトインタラプタなどで構成される回転検出装置（図示せず）と、モータ４に流れる電流を検出するモータ電流検出装置（図示せず）とを備える。
【００１９】
外槽２の最下部には外槽２の半径方向外側に張り出した凸形状の水受け部２ｆを設ける。水受け部２ｆは外槽２の奥行方向に底壁２ｅから外槽カバー２ｄの範囲で形成され、排水用開口部２ｂを介して排水ホース３１に接続される。排水ホース３１の途中には循環ポンプ３４、糸屑フィルタ３５、排水弁３６が設けてある。また、循環ポンプ３４を駆動することで、外槽２に溜めた水は循環水ホース３１ａを流れて洗濯兼脱水槽３内へ散布される。このとき、循環した水は糸屑フィルタ３５を通過し、水に含まれる糸屑などのごみが糸屑フィルタ３５内に捕集される。糸屑フィルタ３５は、下部前面カバー１ｆに設けた扉１ｉを開け、取っ手３５ａを回すことで容易に着脱できる。
【００２０】
筐体１内の上部左側には、洗剤容器３３が設けられており、筺体前面に向けた開口部に引き出し式の洗剤トレイ７を装着する。洗剤類を入れる場合は、洗剤トレイ７を図１の二点鎖線で示すように引き出す。洗剤容器３３は、筐体１に固定されている。
【００２１】
上面カバー１ｅには、水道栓からの給水ホース接続口３０ａ、風呂の残り湯の吸水ホース接続口３２ａが設けてある。洗剤容器３３は、外槽２に備えられた給水ノズル２ｇに接続されており、給水電磁弁（図示せず）を開くか風呂水給水ポンプ３２を駆動することで、水道栓からの給水ホース接続口３０ａまたは風呂の残り湯の吸水ホース接続口３２ａから外槽２に洗濯水を供給する。洗剤容器３３の後ろ側には、水位センサ３７など給水に関連する部品を設けてある。
【００２２】
また、外槽カバー２ｄには主に乾燥運転で洗濯兼脱水槽３内に風を吹き込む送風口２３が、外槽２の底壁２ｅには送風路２０が接続されている。送風路２０は複数の蛇腹管やダクトで構成されており、その途中には除湿器（図示せず）、ファン２１、熱源２２が設けてあり、送風口２３に接続される。また、送風路２０のファン２１より上流側には筺体前面に向けて開口部を設けてあり、この開口部に引き出し式の乾燥フィルタ８を挿入してある。乾燥フィルタ８を通過した空気８１はリントなどを除去され、ファン２１へ流入する。送風路２０のファン２１より上流には、吸気口２４と吸気口２４を開閉する吸気弁２５が設けられている。吸気口２４を閉とした場合（図５（ａ）参照）、送風路２０を介して外槽２から流出した空気がファン２１に流入する。また、吸気口２４を開とした場合（図５（ｂ）参照）、ファン駆動用モータ２１ａを内包し吸気口２４に接続されたダクト状風路２６を介して、筺体１内の空気がファン２１へ流入する。
【００２３】
熱源２２はシーズヒータやＰＴＣヒータ、ヒートポンプなどが考えられる。また熱源２２の配置はファン２１の上流、下流、ファン２１に内包する場合などが考えられる。本実施例では熱源２２はヒータであり、ファン２１に内包されている。乾燥運転で電力を供給された熱源２２はファン２１から吐出される空気を加熱する。
【００２４】
次にこのような洗濯乾燥機１００Ａの洗濯および乾燥の基本的な運転について、制御系のコントローラにおけるマイクロコンピュータが実行する制御処理の一例を、主に図７を用いて説明する。
【００２５】
電源スイッチ１４の押下により電源が投入され、洗濯および乾燥の基本的な制御処理プログラムを行う。
【００２６】
ステップＳ１０１では、洗濯乾燥機１００Ａは状態確認及び初期設定を行う。
【００２７】
ステップＳ１０２では、操作パネル１０の表示器１１が点灯し、操作ボタンスイッチ１３からの指示入力に従って洗濯／乾燥コースが設定される。指示入力がない状態では、標準の洗濯／乾燥コースまたは前回の運転で設定された洗濯／乾燥コースが自動的に設定される。
【００２８】
ステップＳ１０３では、操作パネル１０のスタートスイッチ１２からの指示入力を監視して処理が分岐する。スタートスイッチ１２が押されると、ステップＳ１０４の布量センシングを実施する。布量センシングの例としては、洗濯兼脱水槽３を低速で回転させ、あるいは規定の回転数まで加速させ、そのときのモータ４の電流値を測定し洗濯物９０の量を判断する。そして、表示器１１に乾燥が終了するまでの時間を表示する。その後、ユーザが洗剤や柔軟剤などを投入するための待機時間（ステップＳ１０５）を設ける。図中には記載していないが、待機時間が終わった際にドア９が閉じられていない場合、洗濯乾燥機１００Ａはユーザにブザー等を用いて報知し、ドア９を閉じさせるなど水漏れが無いようにする。
【００２９】
ステップＳ１０６で、洗濯乾燥機１００Ａは洗濯運転を実行する。洗濯運転は洗い、脱水、すすぎの３つの工程を組み合わせて順次実行する。各工程の主動作として、洗いにおいて、洗濯乾燥機１００Ａは排水弁３６を閉じた状態で給水して外槽２に洗濯水を溜め、モータ４に電力を供給して洗濯兼脱水槽３を回転させ、洗濯物９０を洗濯する（図４参照）。脱水においては、洗濯乾燥機１００Ａは排水弁３６を開いて外槽２内の洗濯水を排水し、洗濯兼脱水槽３を回転させて遠心脱水する。すすぎにおいては、洗濯乾燥機１００Ａは再度排水弁３６を閉じた状態で給水し、洗濯兼脱水槽３を低回転数で回転させるなどして、洗濯物９０内に残る洗剤成分などを水中に浮かばせる。すすぎ後に脱水を行うことで、洗濯運転終了時には洗濯兼脱水槽３内の洗濯物９０は水分の少ない状態となる。
【００３０】
ステップＳ１０７では、洗濯乾燥コースが設定されているかどうかを確認して処理が分岐する。洗濯コースが設定されている場合は運転を終了し、洗濯乾燥コースが設定されている場合はステップＳ１０８に進む。
【００３１】
ステップＳ１０８は乾燥運転であり、循環乾燥Ｓ１０８ａと排気乾燥Ｓ１０８ｂを有する。
【００３２】
乾燥運転の前半である循環乾燥Ｓ１０８ａでは、洗濯乾燥機１００Ａは熱源２２に電力を供給し、吸気弁２５により吸気口２４を閉じる。吸気口２４が閉じることで、外槽２から流出した空気８３は送風路２０を流れファン２１に流入する。ファン２１から吐出された空気８２は熱源２２により昇温され、送風口２３から洗濯兼脱水槽３内部の洗濯物９０へ吹き付けられる（図５（ａ）参照）。空気８２は昇温されることで、洗濯物９０との温度差が大きくなるため洗濯物９０の乾燥が促進される。洗濯物９０を乾燥させ湿気を含む空気は空気８３と同じように送風路２０、ファン２１に再度流入し、循環して流れる。ここで、送風路２０内の除湿機構（図示せず）を用い、循環する空気を除湿することで、空気と洗濯物９０との湿度差を大きくして、乾燥を促進する。
【００３３】
乾燥運転の後半である排気乾燥Ｓ１０８ｂでは、洗濯乾燥機１００Ａは熱源２２への電力の供給を止め、循環乾燥Ｓ１０８ａで温めた洗濯物９０や付随して温められた洗濯兼脱水槽３などの熱を利用する余熱乾燥を行う。また洗濯乾燥機１００Ａは排水弁３６を開けるとともに、吸気弁２５により吸気口２４を開ける（図５（ｂ）、図６、図８参照）。吸気弁２４が開くことで、ダクト状風路２６は筺体内の空気８０を吸入し、ダクト状風路２６、吸気口２４を流れた空気８１はファン２１へ流入する。ファン２１から送風され、送風口２３を介して洗濯兼脱水槽３内に送風された空気８２は、洗濯物９０を乾燥させる。水分を含み、外槽２から流出した空気８４は開状態の排水弁３６、排水ホース３１を流れ、排水トラップ３８ａを備えた排水口３８に排出される（図５（ｂ）参照）。排水トラップ３８ａに空気８４を排出するには排水トラップ３８ａ内の水封じを破る必要があり、一般的な排水トラップ３８ａの場合、水封じ高さは５０〜８０mm程度あるため、水封じを破るには排水ホース３１側の圧力は約１０００Ｐａ以上必要である。また、排水口３８からの臭気を抑えるため、水封じを破った後も排水ホース３１は所定以上の圧力を確保する必要があり、排気乾燥Ｓ１０８ｂ中制御されたファン２１は排水ホース３１内を高い圧力に保つ。
【００３４】
運転が終了した後は、洗濯乾燥機１００Ａはユーザに終了したことをブザー等によって知らせる他、図５（ａ）に示すように排水トラップ３８ａの水封じを運転前の水を溜めた状態に戻す等の後処理を行う。
【００３５】
ここで、排気乾燥Ｓ１０８ｂにおけるファン前後の空気の流れについて、主に図９を用いて説明する。
【００３６】
循環乾燥Ｓ１０８ｂにおいて、筺体１下部の隙間から吸込まれた外部からの空気８６（図５（ｂ）参照）は、外槽２の側面や背面を流れた後ダクト状風路２６へ吸い込まれ、ダクト状風路２６に吸い込まれた空気８０はファン駆動用モータ２１表面を流れる。ダクト状風路２６を通過し吸気口２４を通った空気８１は、ファン２１へ流入する。
【００３７】
この時ファン駆動用モータ２１ａはファン２１を駆動するために電圧を印加され、一部の電力はファン駆動用モータ２１ａで損失となり、熱が発生する。例としてファン駆動用モータ２１ａが２００〜３００Ｗで駆動し効率が９０％と一定である場合、２０〜３０Ｗの熱が発生し、その熱がファン駆動用モータ２１ａの表面からファン駆動用モータ２１ａ周囲の空気へ伝わる。そのためダクト状風路２６に流入した空気８０は、ファン駆動用モータ２１ａ表面からの伝熱により温度が上昇する。
【００３８】
昇温され吸気口２４からファン２１に流入した空気８１は、ファン２１より吐出され、送風路２０、送風口２３を流れ、洗濯兼脱水槽３内部の洗濯物９０に吹き付けられる空気８２となる。
【００３９】
ここでダクト状風路２６が無い場合はダクト状風路２６が有る場合に比べ、ファン２１へ流入する空気８１がファン駆動用モータ２１ａの表面を流れず、ファン駆動用モータ２１ａから発生した熱は筺体１内の空気を介して筺体１表面から外気へ漏出する。このためファン駆動用モータ２１ａから空気８１への伝熱量は減少する。
【００４０】
ダクト状風路２６を設けることによって、ファン駆動用モータ２１ａ表面からダクト状風路２６に流入する空気８０への伝熱量が多くなるため、空気８２の温度が上昇し、空気８２と洗濯物９０の温度差、湿度差が大きくなる。空気８２と洗濯物９０の温度差、湿度差が大きいほど洗濯物９０の乾燥は促進されるため、乾燥が終了するまでの運転時間を短くでき、運転時間が短くなることで乾燥運転に必要な消費電力量は低減される。
【００４１】
またファン駆動用モータ２１ａは覆いとなるハウジングが無いものや、ハウジングが金属製やプラスチック製のものなどが考えられる。どのような場合でも上記の構成を用いることで空気８０へファン駆動用モータ２１ａから熱が伝わるが、特にハウジングが金属製の場合はハウジングの熱伝導率が高いため、ファン駆動用モータ２１ａ内部と空気８０の間の熱抵抗は小さい。このことから、ファン駆動用モータ２１ａから空気８０へ伝わる熱量は多いため空気８０はより温度が高く、空気８２と洗濯物９０の温度差が大きいことにより乾燥運転の消費電力量を低減する効果は高い。
【００４２】
さらに、ファン駆動用モータ２１ａのハウジングの表面にフィンを設けた場合、フィンを設けない場合に比べ伝熱面積は広く、ファン駆動用モータ２１ａから空気８０へ伝わる熱量は多い。このため、空気８０はより温度が高く、空気８２と洗濯物９０の温度差が大きくなるため、洗濯物９０の乾燥が促進され運転時間をより短縮でき、乾燥運転の消費電力量を低減する効果が高まる。フィン形状は平板、ピン、コルゲートなどが考えられる。
【００４３】
またダクト状風路２６と吸気口２４の接続において、シール材などで密閉することも考えられるが、接続部やダクト状風路２６の隙間よりもダクト状風路２６内を流れる主流の方が圧力損失が小さい場合は、必ずしも密閉する必要はない。シール材などを省くことや簡易風路構造とすることで、コストを低減し、生産性を向上できる。
【００４４】
また、ファン駆動用モータ２１ａは温度が上昇するとモータ効率が悪化する特性を持つ場合がある。この場合、空気８０へファン駆動用モータ２１ａから熱が伝わることでファン駆動用モータ２１ａの温度上昇を抑制できるため、ファン駆動用モータ２１ａの効率が上がる。これにより、同じ風量、圧力上昇を得るのに必要なファン駆動用モータ２１ａの入力電力を低減できるため、乾燥運転の消費電力量を低減する効果が得られる。
【００４５】
またファン駆動用モータ２１ａから空気８０へ伝わる熱量を多くするには、ファン駆動用モータ２１ａとダクト状風路２６の近傍において、ファン駆動用モータ２１ａ表面から空気８０への熱伝達率を向上させる必要がある。ファン駆動用モータ２１ａ表面から空気８０への熱伝達率を向上させるには、ファン駆動用モータ２１ａとダクト状風路２６の近傍の流路面積を小さくし、空気８０の風速を速くする必要がある。
【００４６】
一方、ダクト状風路２６の流路面積が小さい場合は流路面積が大きい場合と比べ圧力損失が大きいため、同じ風量、圧力上昇を得るためにはファン駆動用モータ２１ａの回転数を高くする必要がある。この流路面積が小さい場合、必要なファン駆動用モータ２１ａの入力電力は流路面積が大きい場合と比べ大きくなるが、ファン駆動用モータ２１ａ表面から空気８０へ伝わる熱量も多くなり、空気８２と洗濯物９０の温度差が増加し乾燥運転の消費電力量を低減する効果は高くなる。
【００４７】
したがって洗濯乾燥機の乾燥運転の消費電力量を低減するためには、洗濯兼脱水槽３内に所定の風量が流入する範囲において、ファン駆動用モータ２１ａとダクト状風路２６の近傍の流路面積を小さくし、空気８０の風速を速くする必要がある。これにより、ファン駆動用モータ２１ａから空気８０へ効率よく熱を伝えることができ、空気８２と洗濯物９０の温度差が増加し、乾燥運転の運転時間をより短縮することで乾燥運転の消費電力量を低減する効果は高くなる。
【００４８】
また、ダクト状風路２６の流路形状は圧力損失を小さくするために、円形で構成されることが望ましい。しかしファンケース２１ｂなどの他部品の構造との兼ね合いから、円形とすると流路面積が小さい部分があり、圧力損失を小さくできない場合がある。この場合、ダクト状風路２６の流路形状を他部品の隙間形状にあわせ、ダクト状風路２６の壁面の一部が他部品の壁面を兼ねる構造とすることで、省略した壁面の厚み分流路面積を大きくできる。ダクト状風路２６の流路面積を大きくすることで、圧力損失を小さくできるため、同じ風量、吐出圧力を得るのに必要なファン駆動用モータ２１ａの入力電力を低減でき、乾燥運転の消費電力量を低減する効果が高くなる。
【００４９】
なお、ファン２１の吐出圧力で排水トラップ３８ａの水封じを破るために、ファン２１に高圧力型ファンを用いた場合、ファン２１の断熱圧縮による効果でファン２１に流入した空気８１は温度が１０℃程度上昇する。この場合、熱源２２を使用しない排気乾燥Ｓ１０８ｂのみの乾燥運転でも、洗濯物９０を乾燥することができる。
【実施例２】
【００５０】
次に、第２の実施例について、図１０を用いて説明する。
【００５１】
図１０はファン前後の空気の流れを示す吸気口が開状態の模式図である。
【００５２】
第１の実施例と異なる点は、ダクト状風路２６がファン駆動用モータ２１ａの一部を内包することである。
【００５３】
本実施例の構造により、ダクト状風路２６へ流入する空気８０がファン駆動用モータ２１ａの一部の表面を流れることから、ファン駆動用モータ２１ａで生じた熱が空気８０へ伝わり、空気８２と洗濯物９０との温度差を大きくでき、洗濯物９０の乾燥を促進することで運転時間を短縮し、乾燥運転の消費電力量を低減する効果が得られる。
【００５４】
さらに、ダクト状風路２６は第１の実施例の構造と本実施例の構造の長さの差Ｌの分、ファン駆動用モータ２１ａ周囲の流路を短くでき、圧力損失を低減できる。このためファン駆動用モータ２１ａの入力電力を低減し、乾燥運転の消費電力量を低減できることに加え、ダクト状風路２６の体積を小さくしより狭い空間にも配置でき、製品の重量の増加を抑制できる。
【実施例３】
【００５５】
次に、第３の実施例について、図１１を用いて説明する。
【００５６】
図１１はファン前後の空気の流れを示す模式図である。
【００５７】
第１の実施例と異なる点は、ダクト状風路２６がファン駆動用モータ２１ａだけでなく、熱源２２の近傍を内包するか、熱源２２に近接するように配置されることである。
【００５８】
循環乾燥Ｓ１０８ａで熱源２２から生じる熱は、一部空気８２に伝わらず熱源２２の周囲にある壁面などから筺体１内の空気に漏洩する（図１１（ａ）参照）。本実施例では、熱源２２から漏洩した熱８８をダクト状風路２６内に蓄え、筺体１内へ拡散する熱量を低減する。そして、排気乾燥Ｓ１０８ｂでは吸気口２４を開けることでダクト状風路２６内に蓄えた熱をファン２１に取り入れ利用することで、よりファン２１に流入する空気８１の温度が上昇し、洗濯物９０と洗濯物９０に吹き付けられる空気８２の温度差と湿度差を増加できるため、洗濯物９０の乾燥が促進され、運転時間を短縮して消費電力量を低減できる（図１１（ｂ）参照）。
【実施例４】
【００５９】
次に第４の実施例について、図１２を用いて説明する。
【００６０】
図１２はファン前後の空気の流れを示す模式図である。
【００６１】
第１の実施例と異なる点は、送風路２０が吸気弁２５を持たず、ダクト状風路２６の代わりに送風路２０がファン駆動用モータ２１ａを内包することである。このとき、吸気口２４は筺体１内の空気が送風路２０またはファン２１に流入するように、単数または複数存在し、送風路２０以外の場所にも配置できる。これにより第１乃至第２の実施例と同様の乾燥運転では、送風路２０を流れファン２１に流入する空気８５は、送風路２０が内包するファン駆動用モータ２１ａの表面を流れる。
【００６２】
ここで、ファン駆動用モータ２１ａのうちハウジング部などの密閉された部分のみを送風路２０に内包し、接続部をシールする。これにより、空気８５に含まれる水分やリントがファン駆動用モータ２１ａ内部に流入しない構造とし、ファン駆動用モータ２１ａの寿命や効率の低下を抑制できる。
【００６３】
またファン駆動用モータ２１ａを乾燥フィルタ８の下流に配置することで、送風路２０を流れる空気８５に含まれるリントはファン駆動用モータ２１ａよりも上流で捕集される。このためファン駆動用モータ２１ａのうちハウジング部や近傍の流路にリントが堆積することを抑制し、送風路２０の圧力損失の増加を抑制できるため、洗濯兼脱水槽３に流入する風量の低下を抑制できる。またリントの堆積を抑制することで、空気８５とファン駆動用モータ２１ａの熱抵抗の増加を抑制し、ファン駆動用モータ２１ａから空気８５へ伝わる熱量の低下を防げる。
【００６４】
このような構造を用いることで、特に筺体１内の空気を吸入し空気８５の温度を低下させ、ファン駆動用モータ２１ａの表面温度との温度差が大きい場合、ファン駆動用モータ２１ａから生じる熱を送風路２０内に取り込んで効率よく利用できる。このため空気８５の温度がより上昇し、洗濯物９０と洗濯物９０に吹き付けられる空気８２の温度差と湿度差を増加できるため、洗濯物９０の乾燥が促進され、乾燥運転の運転時間を短縮して消費電力量を低減できる。
【実施例５】
【００６５】
次に第５の実施例について、図１３を用いて説明する。
【００６６】
図１３は縦型洗濯乾燥機の構造を示す概略図である。
【００６７】
第１の実施例と異なる点は、洗濯兼脱水槽２０３の回転軸が地面に対し略垂直である洗濯乾燥機１００Ｂを例とすることである。
【００６８】
洗濯兼脱水槽２０３は、その上縁部に流体バランサー２０３ｃを備え、底部の内側には回転自在に撹拌翼２０５を回転可能に設置する。撹拌翼２０５は回転することによって、洗濯兼脱水槽２０３内の洗濯物２９０を撹拌する。
【００６９】
洗濯兼脱水槽２０３を内包する外槽２０２は、その下部の外側に洗濯脱水駆動装置２０４を有する。この外槽２０２は、筺体２０１の上端部の四隅部から垂下させた４本の緩衝装置を有する支持棒（図示せず）に四方位を係合させて均等に支持されている。これにより外槽２０２は、筺体２０１の中心部に懸垂される。
【００７０】
筺体２０１は洗濯兼脱水槽２０３に洗濯物２９０を出し入れするための投入口を塞ぐ外蓋２０９ａを備え、外蓋２０９ａは手動で開閉可能に設けられているが、洗濯運転中は安全のためにロック機構（図示せず）により閉状態で固定される。
【００７１】
また外槽２０２も洗濯兼脱水槽２０３に洗濯物２９０を出し入れするための投入口を塞ぐ内蓋２０９ｂを備える。内蓋２０９ｂが閉じることで外槽２０２内の密閉性が高まり、乾燥工程での温風の漏れが抑制できる。
【００７２】
外槽２０２の下部には送風路２２０が接続されており、送風路２２０は除湿器（図示せず）、ファン２２１、熱源２２２を有し、送風口２２３に接続される。本実施例では、筺体２０１の上部にファン２２１を設け、ファン２２１の上流側に吸気弁２２５を持つ吸気口２２４を設ける。この吸気口２２４に接続し、ファン駆動用モータ２２１ａの少なくとも一部を内包するよう風路２２６を設ける。
【００７３】
このような洗濯乾燥機１００Ｂは第１の実施例における基本的な運転と同様に、洗濯運転で洗い、脱水、すすぎを組み合わせて運転する。また乾燥運転ではファン２２１を用いて洗濯兼脱水槽２０３内の洗濯物２９０へ空気を送り、洗濯物２９０に含まれる水分の蒸発を促進する。洗濯物２９０を乾燥させた空気は、筺体２０１の隙間や、排水弁２３６と排水ホース２３１を流れるなどにより、筺体２０１外へ排出される。
【００７４】
乾燥運転において吸気口２２４が開いた場合、ファン駆動用モータ２２１ａからの伝熱で温度が上昇した空気２８１は送風路２２０を流れファン２２１へ流入する。ファン２２１から吐出された空気２８２は熱源２２２、送風路２２０を流れ送風口２２３から洗濯兼脱水槽２０３内へ送風される。
【００７５】
縦型洗濯乾燥機１００Ｂでは、洗濯脱水駆動装置２０４とファン駆動用モータ２２１ａの位置が外槽２０２の上下に分かれている。このため、吸気口２２４へ流入する吸気は、より近い位置にあるファン駆動用モータ２２１ａから生じる熱を回収できるが、離れた位置にある洗濯脱水駆動装置２０４から生じる熱を回収することは難しい。
【００７６】
本構造では風路２２６により、筺体２０１と外蓋２０９ａとの隙間などから流入した外気を筺体２０１外の温度のままファン駆動用モータ２２１ａの周囲に流すことができる。これにより、ファン駆動用モータ２２１ａの周囲を流れる空気２８１とファン駆動用モータ２２１ａ表面との温度差をより大きくできるため、ファン駆動用モータ２２１ａから生じる熱を重点的に回収できる。
【００７７】
一方で第１の実施例のようなドラム式洗濯乾燥機と異なり縦型洗濯乾燥機では、脱水において洗濯脱水駆動装置２０４で生じる熱が、洗濯脱水駆動装置２０４の主軸を通して撹拌翼２０５に伝わり、撹拌翼２０５を昇温する。脱水を終えて乾燥運転が開始すると、洗濯兼脱水槽２０３側面に張り付いていた洗濯物２９０は、洗濯兼脱水槽２０３底部周辺に積層した状態となり撹拌翼２０５と接するため、昇温された撹拌翼２０５から洗濯物２９０へ熱が伝わる。乾燥運転中も、洗濯脱水駆動装置２０４の主軸を通して洗濯脱水駆動装置２０４で生じる熱が撹拌翼２０５に伝わるため、洗濯物２９０への撹拌翼２０５による加熱は続く。このように洗濯脱水駆動装置２０４で生じる熱が、撹拌翼２０５を介して洗濯物２９０へ伝わる。
【００７８】
以上のように、本構造を用いることでファン駆動用モータ２２１ａから生じる熱を効率よく回収した空気２８２を洗濯物２９０に吹き付けることができるとともに、洗濯脱水駆動装置２０４から生じる熱を洗濯兼脱水槽２０３底部側から与え、洗濯物２９０全体を上下から加熱できる。このため、本構造は洗濯物２９０を乾燥する運転において、乾燥ムラを低減しより効率よく乾燥できる。
【符号の説明】
【００７９】
１            筺体
２            外槽
３            洗濯兼脱水槽
４            モータ
７            洗剤トレイ
８            乾燥フィルタ
９            ドア
１４            電源スイッチ
２０            送風路
２１            ファン
２１ａ            ファン駆動用モータ
２２            熱源
２３            送風口
２４            吸気口
２５            吸気弁
２５ｃ            ステッピングモータ
２６            ダクト状風路
３１            排水ホース
３６            排水弁
３８            排水口
３８ａ            排水トラップ
１００Ａ          洗濯乾燥機
１００Ｂ          縦型洗濯乾燥機
【図１】
2015228930.tif 000003
【図２】
2015228930.tif 000004
【図３】
2015228930.tif 000005
【図４】
2015228930.tif 000006
【図５】
2015228930.tif 000007
【図６】
2015228930.tif 000008
【図７】
2015228930.tif 000009
【図８】
2015228930.tif 000010
【図９】
2015228930.tif 000011
【図１０】
2015228930.tif 000012
【図１１】
2015228930.tif 000013
【図１２】
2015228930.tif 000014
【図１３】
2015228930.tif 000015